(57)【要約】【課題】建築パネルの保持の安定性を高めることができ、建築パネルの汚損を防止することが可能な収容ラックを提供することにある。【解決手段】収容ラック１は、複数配置された支柱２１と、支柱２１に接続されて水平方向に延在し、鉛直方向に複数配置されて、外壁パネルＰ１が載置されるパネル受け材３１と、を備える。複数のパネル受け材３１のうち、外壁パネルＰ１の上方に位置するパネル受け材３１の下側には、外壁パネルＰ１の上面に当接して振動を吸収する緩衝材４０が取り付けられている。また、外壁パネルＰ１の下方に位置するパネル受け材３１の上側には、直上にある外壁パネルＰ１の下面に当接して外壁パネルＰ１と係合する係合部材５０が取り付けられている。そして、係合部材５０及び外壁パネルＰ１の一方から鉛直方向に突出する係合突起と他方に形成された係合穴とが係合している。【選択図】図１
2016088607.tif 000002
【特許請求の範囲】
【請求項１】
車両による建築パネルの運搬に用いられ、厚み方向が鉛直方向に沿った状態の前記建築パネルを収容する収容ラックであって、
所定方向に並んで複数配置された支柱と、
該支柱に接続されて水平方向に延在し、鉛直方向に複数配置されて、前記状態の前記建築パネルが載置されるパネル受け材と、を備え、
複数の前記パネル受け材のうち、前記建築パネルの上方に位置する前記パネル受け材の下側には、前記建築パネルの上面に当接して振動を吸収する第一緩衝材が取り付けられ、
前記建築パネルの下方に位置する前記パネル受け材の上側には、直上にある前記建築パネルの下面に当接して前記建築パネルと係合する係合部材が取り付けられており、
該係合部材及び前記建築パネルの一方から鉛直方向に突出する係合突起と他方に形成された係合穴とが係合していることを特徴とする収容ラック。
【請求項２】
前記第一緩衝材及び前記係合部材の少なくとも一方はスペーサとして機能し、複数設けられた前記第一緩衝材の前記建築パネルに当接する面及び前記パネル受け材の載置面の少なくとも一方の鉛直方向高さを異なる高さとすることを特徴とする請求項１に記載の収容ラック。
【請求項３】
前記第一緩衝材は、上側が開放側となるように断面Ｕ字状に形成されており、前記開放側が前記パネル受け材の側面の一部を覆うように取り付けられていることを特徴とする請求項１又は２に記載の収容ラック。
【請求項４】
前記係合部材は、下側が開放側となるように断面逆Ｕ字状に形成されて弾性部材から成る保持部を有し、該保持部の前記開放側が前記パネル受け材の両側面を挟み込んで、前記パネル受け材に取り付けられていることを特徴とする請求項１乃至３のいずれか一項に記載の収容ラック。
【請求項５】
前記係合部材には、前記係合部材に形成された前記係合突起に通される貫通孔を有する第二緩衝材が取り付けられており、
前記係合部材は、前記第二緩衝材を介して直上にある前記建築パネルの下面に当接していることを特徴とする請求項１乃至４のいずれか一項に記載の収容ラック。
【請求項６】
前記係合部材は、鉛直下方に向けて突出する取付突起を有し、該取付突起が前記パネル受け材に形成された被取付穴に挿し込まれて取り付けられていることを特徴とする請求項１乃至５のいずれか一項に記載の収容ラック。
【発明の詳細な説明】
【技術分野】
【０００１】
本発明は、建築パネルを収容する収容ラックに係り、特に、各種建築パネルを好適に支持可能な収容ラックに関する。
【背景技術】
【０００２】
一般に、建築材料である外壁パネル、屋根パネル及び腰壁パネル等の建築パネルは、専用のラックに収容されて、パネル工場内にラックごと収納され、そして同ラックに収容された状態でパネル工場から建築現場まで車両によって運搬される。
【０００３】
このラック例として、特許文献１には、上下に複数段設けられてたパネル受け材上に載置された外壁パネルのフレームに対して、支柱に取り付けられた固定治具を側方から所定の押圧力で当接させて、水平方向の移動を制限する構成を備える収容ラック（同文献には積載ラックと記載。）が記載されている。
【先行技術文献】
【特許文献】
【０００４】
【特許文献１】特開２０１４−１１９０５０号公報
【発明の概要】
【発明が解決しようとする課題】
【０００５】
建築現場における作業を少なくして作業効率を向上させることを目的とし、また、足場を設けることができない狭小地における高所作業のために、ベントキャップ等の外装材を、建築現場ではなくパネル工場で予め建築パネルに取り付けることがある。
【０００６】
この場合に、建築パネルを収容ラックに積載する際に、上下に厚みを有するスペーサを設けるようにして、突出する外装材によって上下に積載された建築パネルが当接することを防ぐ必要がある。その他、厚みの異なる多種多様な建築パネルを積載する場合にも、スペーサを用いる必要がある。
しかしながら、このスペーサを特許文献１に記載されて収容ラックに設けるようにすると、スペーサによってフレーム部分の位置がずれてしまう。そして、固定治具の位置は、支柱ごとに定められていたため、固定治具をフレーム部分に当接させることができない場合があった。このため、支柱を交換する必要が生じ作業効率が低下していた。
【０００７】
また、フレームの表裏面に接着剤により面材が取り付けられた腰壁パネルの場合には、平置きでパネル受け材に載せる場合には、パネル受け材からの汚れが面材に転写されてしまうことがあった。この場合に、車両による収容ラック運搬時の振動によって建築パネルに傷・汚れ等が生じ、建築現場において汚損部分のタッチアップが必要となり、作業効率の低下を招いていた。
一方、パネル受け材に接触させずに、腰壁パネルのフレームを側方から固定治具により支持するようにした場合には、下側の面材が自重によりフレームから剥がれてしまうことがあった。
【０００８】
本発明は、上記の課題に鑑みてなされたもので、その目的とするところは、建築パネルの保持の安定性を高めることができ、他の部材と当接することによる建築パネルの汚損を防止することが可能な収容ラックを提供することにある。
【課題を解決するための手段】
【０００９】
前記課題は、本発明に係る収容ラックによれば、車両による建築パネルの運搬に用いられ、厚み方向が鉛直方向に沿った状態の建築パネルを収容する収容ラックであって、所定方向に並んで複数配置された支柱と、支柱に接続されて水平方向に延在し、鉛直方向に複数配置されて、状態の建築パネルが載置されるパネル受け材と、を備え、複数のパネル受け材のうち、建築パネルの上方に位置するパネル受け材の下側には、建築パネルの上面に当接して振動を吸収する第一緩衝材が取り付けられ、建築パネルの下方に位置するパネル受け材の上側には、直上にある建築パネルの下面に当接して建築パネルと係合する係合部材が取り付けられており、係合部材及び建築パネルの一方から鉛直方向に突出する係合突起と他方に形成された係合穴とが係合していることにより解決される。
【００１０】
上記構成によれば、収容された建築パネルに対して、第一緩衝材によって上下方向の振動を吸収しつつ、係合部材及び建築パネルの一方から突出する係合突起と他方に形成された係合穴とを係合させて建築パネルの水平方向の移動を規制することで、車両による運搬時の振動に対する建築パネルの保持の安定性を高めることができ、他の部材と当接することによって建築パネルに傷が発生することを防止することができる。
【００１１】
また、前記第一緩衝材及び前記係合部材の少なくとも一方はスペーサとして機能し、複数設けられた前記第一緩衝材の前記建築パネルに当接する面及び前記パネル受け材の載置面の少なくとも一方の鉛直方向高さを異なる高さとすると好ましい。
上記構成によれば、第一緩衝材及び係合部材の少なくとも一方がスペーサとして機能することで、パネル受け材の間隔を変えることなく、厚みの異なる建築パネルを簡単に収容することが可能となる。
【００１２】
さらに、前記第一緩衝材は、上側が開放側となるように断面Ｕ字状に形成されており、前記開放側が前記パネル受け材の側面の一部を覆うように取り付けられていてもよい。
上記構成によれば、第一緩衝材の開放側がパネル受け材の一部を覆うように取り付けられていることで、第一緩衝材のパネル受け材に対する位置ズレを制限することができ、建築パネルの保持の安定性を高めることができる。
【００１３】
また、前記係合部材は、下側が開放側となるように断面逆Ｕ字状に形成されて弾性部材から成る保持部を有し、該保持部の前記開放側が前記パネル受け材の両側面を挟み込んで、前記パネル受け材に取り付けられていると好ましい。
上記構成によれば、係合部材の保持部の開放側がパネル受け材を挟み込んでいることで、係合部材のパネル受け材への取り付けを簡単に行い、その位置ずれを防止することができ、建築パネルの保持の安定性を高めることができる。
【００１４】
さらに、前記係合部材には、前記係合部材に形成された前記係合突起に通される貫通孔を有する第二緩衝材が取り付けられており、前記係合部材は、前記第二緩衝材を介して直上にある前記建築パネルの下面に当接していると好ましい。
上記構成によれば、係合部材に形成された係合突起に貫通孔を挿通された第二緩衝材が建築パネルの下面に当接する位置に取り付けられていることで、建築パネルの損傷を防止することができ、さらに、係合部材の突起によって第二緩衝材の位置ズレを制限することができ、建築パネルの保持の安定性を高めることができる。
【００１５】
また、前記係合部材は、鉛直下方に向けて突出する取付突起を有し、該取付突起が前記パネル受け材に形成された被取付穴に挿し込まれて取り付けられていると好ましい。
上記構成によれば、パネル受け材に形成された被取付穴に係合部材の取付突起が挿し込まれていることで、係合部材のパネル受け材に対する相対的な移動を確実に制限することができ、建築パネルの保持の安定性を高めることができる。
【発明の効果】
【００１６】
本発明の収容ラックによれば、建築パネルの保持の安定性を高めることができ、他の部材と当接することによる建築パネルの汚損を防止することが可能な収容ラックを提供することができる。
【図面の簡単な説明】
【００１７】
【図１】本実施形態に係る収容ラックを示す斜視図である。
【図２】外壁パネルを示す斜視図である。
【図３】係合部材をパネル受け材に取り付けた状態を示す斜視図である。
【図４】係合部材をパネル受け材に取り付ける前の状態を示す斜視図である。
【図５】緩衝材を示す斜視図である。
【図６】第１変形例に係る係合部材を用いて奥付サッシ付きパネルを取り付ける作業を説明する図である。
【図７】第１変形例に係る係合部材を示す斜視図である。
【図８】第２変形例に係る係合部材を示す斜視図である。
【図９】第３変形例に係る係合部材を示す斜視図である。
【発明を実施するための形態】
【００１８】
以下、本発明の実施形態に係る収容ラックについて説明する。本実施形態に係る収容ラックは、建築パネルを収容して建築パネルのパネル工場内の保管に用いられ、また、車両に搭載されて建築パネルの建築現場への搬送に用いられるものである。
なお、以下において、収容ラックに平置きされた状態の外壁パネルの長尺方向を長さ方向、短尺方向を幅方向、厚み方向を鉛直方向又は上下方向とも表現して説明する。
【００１９】
本発明の実施形態に係る収容ラック１について、図１〜図５を参照して説明する。ここで、図１は、本実施形態に係る収容ラック１を示す斜視図、図２は、外壁パネルＰ１を示す斜視図、図３は、係合部材５０をパネル受け材３１に取り付けた状態を示す斜視図、図４は、係合部材５０をパネル受け材３１に取り付ける前の状態を示す斜視図、図５は、緩衝材４０を示す斜視図である。
【００２０】
収容ラック１は、外壁パネルＰ１その他の建築パネルを収容可能なラックである。
収容ラック１は、本実施形態において、長さ方向に延在する一対の架台１０と、架台１０から鉛直方向に７段積み上げられ、幅方向に平行な平面上に設けられて長さ方向に２列配設された受け材セットＳと、所定段の受け材セットＳの幅方向側面を連結する一対のツナギ材１２と、から主に構成される。
【００２１】
受け材セットＳは、Ｈ形に形成されており、収容ラック１の幅方向両側に配設されて上下に延在する一対の支柱２１と、一対の支柱２１の中央部分に長手方向両端が接合されて水平方向（収容ラック１の幅方向）に延在するパネル受け材３１と、から構成されている。
【００２２】
支柱２１は、筒状に形成されており、角パイプ状の部位と、角パイプ状の部位よりも中央側に段を成して形成されて、角パイプ状の部位の上部から突出するように接合された挿入部２１ａとから構成される。受け材セットＳは、下段にある支柱２１の挿入部２１ａに、直上にある支柱２１の角パイプ状の部位が挿入されて、架台１０から上方に複数積み上げられている。
【００２３】
パネル受け材３１は、収容ラック１の幅方向において隣接する支柱２１に両端を接合されている。
最上段以外のパネル受け材３１は、その上に載置された外壁パネルＰ１を、後述する係合部材５０を介して下方から支持する。
そして、最上段にあるパネル受け材３１を含め、外壁パネルＰ１の直上に位置するパネル受け材３１は、その外壁パネルＰ１を、後述する緩衝材４０を介して上方から支持する。
このように構成された受け材セットＳは、各段ごとに上下に着脱可能に取り付けられているため、外壁パネルＰ１とともに任意の段ごとに分解することが可能である。
【００２４】
ツナギ材１２は、収容ラック１の長さ方向において隣接する支柱２１に接続されて、これらの間隔を所定間隔に保ち、剛性を付与するものである。ツナギ材１２は、長さ方向に延出して所定段に配され、幅方向に対を成して計３対設けられている。
【００２５】
収容ラック１に収容される外壁パネルＰ１は、図２に示すように、建物に取り付けられた状態時に外部に露出する面材２ａと、面材２ａの裏面に固定されたフレーム２ｂとから構成されている。
フレーム２ｂには、厚み方向に形成された複数の穴２ｃが形成されている。複数の穴２ｃは、本発明に係る係合穴に相当し、この複数の穴２ｃのいずれかに次に説明する係合部材５０の突起５０ｃが係合することとなる。
【００２６】
係合部材５０は、外壁パネルＰ１の水平方向の収容位置を保持するための金具であり、取付板５０ａと、取付板５０ａの中央部分から垂直に突出する突起５０ｃとから構成されている。
取付板５０ａは、弾性部材から成り、対向する端部５０ｂを有して略断面逆Ｕ字状を成している。対向する端部５０ｂは、本発明に係る保持部に相当し、自然状態においてパネル受け材３１の幅方向長さよりも短い間隔を空けて形成されている。取付板５０ａは、端部５０ｂがパネル受け材３１の幅方向に広げられて、その弾性力によってパネル受け材３１の両側面を挟み込むようにして、パネル受け材３１に取り付けられる。
【００２７】
突起５０ｃは、本発明に係る係合突起及び取付突起に相当し、図４に示すように、取付板５０ａに中央部分を接合されて、上下に突出するように形成されている。
突起５０ｃのうち取付板５０ａの下方側に突出する部分は、パネル受け材３１に形成された被取付穴３１ａに挿し込まれて、パネル受け材３１に取り付けられる。
【００２８】
そして、係合部材５０上には、突起５０ｃに通される貫通孔６０ａを有する本発明に係る第二緩衝材に相当する緩衝材６０が取り付けられている。
このように緩衝材６０が取り付けられており、外壁パネルＰ１が、緩衝材６０を介して支持されているため、外壁パネルＰ１の損傷を防止することができる。
さらに、緩衝材６０の貫通孔６０ａに突起５０ｃが通されていることで、緩衝材６０の水平方向の位置ずれを防止することができる。
【００２９】
なお、端部５０ｂの弾性力が、パネル受け材３１を挟持するのに十分な強さを有しているならば、被取付穴３１ａに係合させる必要がないので、取付板５０ａの下方まで突出するように突起５０ｃを形成する必要はない。この構成によれば、パネル受け材３１の被取付穴３１ａの位置によらずに、係合部材５０を取り付けることができるため、パネル受け材３１との接触位置が異なる多様な形状の建築用パネルを支持することが可能となる。
【００３０】
緩衝材４０は、本発明に係る第一緩衝材に相当し、ポリスチレン等の所定の剛性を有する合成樹脂から成る。緩衝材４０は、図１に示すように、下方のパネル受け材３１上に載置された外壁パネルＰ１を、上方のパネル受け材３１によって押圧して挟持する際に、上方のパネル受け材３１と外壁パネルＰ１の間に設けられて、パネル受け材３１を弾性支持する機能を有する。
緩衝材４０は、図５に示すように、断面Ｕ字状に形成されており、最下段以外のパネル受け材３１の下面に跨って両側面の一部を鉛直方向に覆うように、両面テープによってパネル受け材３１に取り付けられており、１つの受け材セットＳにおいて２つ設けられている。このように、緩衝材４０が両面テープによって予めパネル受け材３１に取り付けられていることで、パネル受け材３１に嵌る位置に緩衝材４０を位置決めする手間が省かれ、作業効率が向上することとなる。
【００３１】
上記実施形態に係る収容ラック１の構成によれば、係合部材５０の突起５０ｃが外壁パネルＰ１の穴２ｃに嵌ることで、収容ラック１に収容された外壁パネルＰ１の水平方向の位置ずれを防止することができる。さらに、外壁パネルＰ１が緩衝材４０及び係合部材５０上の緩衝材６０によって上下に挟持されていることで、車両に収容ラック１が載置された時に、運転時の上下方向の振動が加わる場合でも安定して支持することができる。このため、外壁パネルＰ１が汚損することを防止できる。
【００３２】
さらに、パネル受け材３１の間隔を変更せずとも、緩衝材４０、係合部材５０又は緩衝材６０の高さを変更することで、厚みや支持位置の異なる各種パネルを好適に支持することが可能となる。
【００３３】
なお、係合部材５０上に設けられた緩衝材６０を介して外壁パネルＰ１を下方から支持するものとして説明したが、外壁パネルＰ１のフレーム２ｂを振動衝撃から保護する必要性が少ない場合には、緩衝材６０を設けずに直接係合部材５０によって外壁パネルＰ１を支持する構成を採用してもよい。
【００３４】
＜第１変形例＞
第１変形例に係る係合部材５１を備える収容ラック１について、図６及び図７を参照して説明する。ここで、図６は、第１変形例に係る係合部材５１を用いて奥付サッシ付きパネルＰ３を取り付ける作業を説明する図、図７は、第１変形例に係る係合部材５１を示す斜視図である。
なお、以下の説明において、上記実施形態の構成と同様の構成については、同一の符号を付して、その説明を省略して違いを明確にする。
【００３５】
奥付サッシ付きパネルＰ３は、本発明に係る建築パネルに相当し、建物に取り付けられた状態時に外部に露出する面材３ａと、面材３ａの裏側（図６中、下側）に奥まって取り付けられたサッシ３ｂとから構成されている。
このように構成されたサッシ３ｂ部分の厚さが外縁部分の厚さよりも厚い奥付サッシ付きパネルＰ３を、上記の係合部材５０を用いて収容ラック１に収容すると、サッシ３ｂ部分がパネル受け材３１よりも下方に突出することがある。この場合、その下段に収容された他の建築用パネルに当接して、相互に汚損等してしまうことがある。
【００３６】
この汚損等を避けて、奥付サッシ付きパネルＰ３の収容状態を安定させるために、図６及び図７に示す係合部材５１が設けられている。
係合部材５１は、取付板５０ａと同様の形状である取付板５１ａ上に、四角筒状のスペーサ５１ｄを備える。
スペーサ５１ｄは、係合部材５１がパネル受け材３１の上部に取り付けられた状態において、鉛直方向の距離を稼ぐためのものであり、軽量化のために筒状に形成されている。スペーサ５１ｄは、突起５１ｃの連続方向に垂直な方向に中心開口が向くように取付板５１ａ上に取り付けられている。
【００３７】
また、突起５１ｃは、取付板５１ａ及びスペーサ５１ｄを貫通して上下に連続して形成されている。このように形成されていることで、係合部材５０と同様に、パネル受け材３１の被取付穴３１ａに、係合部材５１を固定できるとともに、奥付サッシ付きパネルＰ３の裏面に形成された図示せぬ穴に挿しこむことで、奥付サッシ付きパネルＰ３の位置ずれを防止することができる。
【００３８】
そして、係合部材５１を用いることで、スペーサ５１ｄの高さの分だけ、奥付サッシ付きパネルＰ３を上方で支持できるため、奥付サッシ付きパネルＰ３の収容状態において、下段側へのサッシ３ｂの突出を抑制することができる。
このような構成からなる係合部材５１は、奥付サッシ付きパネルＰ３に限られず、例えば、ベントキャップ等の外装材を有することにより、外縁部分よりも突出した部位を有するパネルの支持に適用することが可能である。
【００３９】
＜第２変形例＞
第２変形例に係る係合部材５３を備える収容ラック１について、図８を参照して説明する。ここで、図８は、第２変形例に係る係合部材５３を示す斜視図である。
【００４０】
上記実施形態では、１つの受け材セットＳに対して１枚の外壁パネルＰ１又は奥付サッシ付きパネルＰ３を収容する例について説明した。
しかし、本願発明は、このような形態に限定されず、外壁パネルＰ１又は奥付サッシ付きパネルＰ３を、１つ段の受け材セットＳに対して、複数枚設けるようにしてもよい。
【００４１】
例えば、収容ラック１の幅方向に並ぶように、外壁パネルＰ１と奥付サッシ付きパネルＰ３とを設けるようにしてもよい。
この場合に、両パネルの水平方向の移動を制限するために、図８に示す係合部材５３を、外壁パネルＰ１及び奥付サッシ付きパネルＰ３のそれぞれに重なるように、パネル受け材３１に取り付けるようにするとよい。
【００４２】
係合部材５３は、係合部材５０と係合部材５１とが一体的に形成されたものであって、それぞれの取付板５０ａと取付板５１ａとが一体的に形成された取付板５３ａを備えて構成される。係合部材５３は、一対のパネル受け材３１における収容ラック１の幅方向中央側に取り付けられる。
【００４３】
係合部材５３における取付板５３ａの下方側に突出して、パネル受け材３１に形成された被取付穴３１ａに挿し込まれる図示せぬ突起部分は、突起５０ｃ又は突起５１ｃの一本のみから延出するものとすればよい。このようにすると、突起５０ｃ及び突起５１ｃの双方から延出するものよりも、はめあい寸法の不整合による取付不良が生じることを抑制することができる。
【００４４】
また、外壁パネルＰ１を支持するため、係合部材５３における係合部材５０が形成されている側の延長上にあるパネル受け材３１の一端部側には、別個の係合部材５０が取り付けられる。
そして、奥付サッシ付きパネルＰ３を支持するため、係合部材５３における係合部材５１が形成されている側の延長上にあるパネル受け材３１の他端部側には、別個の係合部材５１が取り付けられる。
【００４５】
このようにすることで、収容ラック１に、その幅方向に並ぶように、外壁パネルＰ１と奥付サッシ付きパネルＰ３と水平方向の移動を規制して収容させることが可能となる。
なお、上下方向の移動を制限するものとしては、係合部材５３にも同様に緩衝材６０を設け、さらに、外壁パネルＰ１及び奥付サッシ付きパネルＰ３の上方のパネル受け材３１に、緩衝材４０を取り付けるようにすればよい。
【００４６】
＜第３変形例＞
第３変形例に係る係合部材５４を備える収容ラック１について、図９を参照して説明する。ここで、図９は、第３変形例に係る係合部材５４を示す斜視図である。
上記実施形態では、外壁パネルＰ１又は奥付サッシ付きパネルＰ３の水平方向の移動を防止するために、係合部材５０，５１，５３から上方に突出する突起５０ｃ，５１ｃと、外壁パネルＰ１又は奥付サッシ付きパネルＰ３の穴２ｃに接続されるものとして説明した。
【００４７】
しかし、本願発明はこのような形態に限定されず、例えば、奥付サッシ付きパネルＰ３に突起が形成又は固定され、この突起に係合するものとして、係合部材５４のスペーサ５１ｄの上部に、突起５０ｃの代わりに貫通孔５４ａが形成された構成であってもよい。
貫通孔５４ａは、本発明に係る係合穴に相当し、奥付サッシ付きパネルＰ３における不図示の突起（本発明に係る係合突起に相当する。）の径よりも若干大きな径で形成されており、係合部材５４のスペーサ５１ｄの上部を上下に貫通するように形成されている。
このようにしても、係合部材５４の貫通孔５４ａと奥付サッシ付きパネルＰ３の突起と係合により、奥付サッシ付きパネルＰ３の水平方向の移動を制限することができる。
【００４８】
さらに、上記構成の係合部材５４においては、スペーサ５１ｄの上部に突起が形成されていないため、面材が両面に設けられたパネル、例えば図示せぬ腰壁パネルを、緩衝材４０と緩衝材６０とで挟み込むようにして、面材を傷つけることなく好適に支持することができる。
特に、この腰壁パネルの水平方向の移動を確実に制限する必要がある場合には、腰壁パネルに別個の突起を固定するようにして、この突起を、緩衝材６０の貫通孔６０ａに通して、スペーサ５１ｄの貫通孔５４ａに係合させればよい。
【００４９】
上記実施形態では、主として本発明に係る収容ラックに関して説明した。ただし、上記の実施形態は、本発明の理解を容易にするための一例に過ぎず、本発明を限定するものではない。本発明は、その趣旨を逸脱することなく、その実施に最適となるように各種形態を組み合わせるようにしてもよく、変更、改良され得るとともに、本発明にはその等価物が含まれることは勿論である。
【００５０】
例えば、係合部材５０，５１，５３，５４については、図１及び図６に示す形態においては１段の受け材セットＳに４つ設けられているものを示しているが、外壁パネルＰ１又は奥付サッシ付きパネルＰ３の水平方向の移動を制限できればよく、少なくとも２つ以上設けられていれば良い。
同様に、緩衝材４０は、１段の受け材セットＳに４つ設けられているものとして説明したが、外壁パネルＰ１又は奥付サッシ付きパネルＰ３の鉛直方向の移動を制限できればよく、少なくとも２つ以上設けられていれば良い。
【００５１】
また、上記実施形態においては、外壁パネルＰ１、奥付サッシ付きパネルＰ３及び腰壁パネルを例に説明したが、パネルの種類は任意であり、玄関パネル、袖壁パネル、屋根パネル等を収容ラックの収容対象としてもよい。
【符号の説明】
【００５２】
１  収容ラック
２ａ  面材
２ｂ  フレーム
２ｃ  穴（係合穴）
３ａ  面材
３ｂ  サッシ
１０  架台
１２  ツナギ材
２１  支柱
２１ａ  挿入部
３１  パネル受け材
３１ａ  被取付穴
４０  緩衝材（第一緩衝材）
５０  係合部材
５０ａ  取付板
５０ｂ  端部（保持部）
５０ｃ  突起（係合突起，取付突起）
５１  係合部材
５１ａ  取付板（保持部）
５１ｃ  突起（係合突起）
５１ｄ  スペーサ
５３  係合部材
５３ａ  取付板（保持部）
５４  係合部材
５４ａ  貫通孔（係合穴）
６０  緩衝材（第二緩衝材）
６０ａ  貫通孔
Ｐ１  外壁パネル（建築パネル）
Ｐ３  奥付サッシ付きパネル（建築パネル）
Ｓ  受け材セット
【図１】
2016088607.tif 000003
【図２】
2016088607.tif 000004
【図３】
2016088607.tif 000005
【図４】
2016088607.tif 000006
【図５】
2016088607.tif 000007
【図６】
2016088607.tif 000008
【図７】
2016088607.tif 000009
【図８】
2016088607.tif 000010
【図９】
2016088607.tif 000011